(57)【要約】【課題】簡易な構成で有料放送と著作権保護のスクランブル処理を行うこと。【解決手段】本実施形態に係るスクランブル放送送出装置は、第１番組と第２番組とを切り替える切替制御に従って、前記第１番組又は前記第２番組を保護するためのスクランブル鍵を格納した情報を送出すると共に、前記スクランブル鍵でスクランブル制御を行うＥＣＭ送出装置１１と、前記スクランブル制御に従って、前記情報が多重化されたコンテンツに対して前記スクランブル鍵を用いてスクランブル処理を行うスクランブラ１３とを具備する。【選択図】      図１
2012165342.tif 000002
【特許請求の範囲】
【請求項１】
第１番組と第２番組とを切り替える切替制御に従って、前記第１番組又は前記第２番組を保護するためのスクランブル鍵を格納した情報を送出すると共に、前記スクランブル鍵でスクランブル制御を行う送出部と、
前記送出部からの前記スクランブル制御に従って、前記情報が多重化されたコンテンツに対して前記スクランブル鍵を用いてスクランブル処理を行うスクランブラ部と
を具備することを特徴とするスクランブル放送送出装置。
【請求項２】
前記送出部は、前記スクランブル制御において、前記第１番組と前記第２番組とが切り替わる時にスクランブル処理を停止する期間を設けることを特徴とする請求項１記載のスクランブル放送送出装置。
【請求項３】
スクランブル放送送出装置に用いられる方法であって、
第１番組と第２番組とを切り替える切替制御に従って、前記第１番組又は前記第２番組を保護するためのスクランブル鍵を格納した情報を送出すると共に、前記スクランブル鍵でスクランブル制御を行い、
前記スクランブル制御に従って、前記情報が多重化されたコンテンツに対して前記スクランブル鍵を用いてスクランブル処理を行うことを有することを特徴とするスクランブル放送送出方法。
【請求項４】
前記スクランブル制御において、前記第１番組と前記第２番組とが切り替わる時にスクランブル処理を停止する期間を設けることを特徴とする請求項３記載のスクランブル放送送出方法。
【発明の詳細な説明】
【技術分野】
【０００１】
本発明の実施形態は、デジタル放送のコンテンツを保護するためのスクランブル放送送出装置及びスクランブル放送送出方法に関する。
【背景技術】
【０００２】
現在、デジタル放送の有料放送を実現しているスクランブル放送送出装置で、無料放送を行う場合、ノンスクランブルで送出することになる。
【０００３】
一方で、デジタル放送において著作権保護のスクランブルが運用されており、有料放送を行っている放送局においても、無料放送の著作権保護スクランブルを行うことが検討されている。
【先行技術文献】
【特許文献】
【０００４】
【特許文献１】特開２００８−９２４３２号公報
【発明の概要】
【発明が解決しようとする課題】
【０００５】
従来の技術で上記対応を実現する場合は、有料放送スクランブルを実現する装置（ＣＡＳ：Conditional Access System）と、著作権保護スクランブルを実現する装置（ＲＭＰ：Rights Management and Protection System）とで構成する必要がある。有料放送では、時間ごとにスクランブル制御を切り替えることは可能であるが、著作権保護では常時スクランブルを行う仕様となっている。そのため、時間ごとに有料放送と著作権保護のスクランブル制御を切り替えることができない。
【０００６】
また、スクランブラやＥＣＭ（Entitlement Control Message）送出装置の装置が重複し、構成が冗長となる。スクランブラの重複はＴＳの遅延量の増加となる。また、著作権保護スクランブルは常時制御となるため、時間ごとに有料放送のスクランブルと、著作権保護のスクランブルを切り替えて送出することができないという問題がある。
【０００７】
本実施形態の目的は、簡易な構成で有料放送と著作権保護のスクランブル処理を行うことができるスクランブル放送送出装置を提供することにある。
【課題を解決するための手段】
【０００８】
本実施形態に係るスクランブル放送送出装置は、第１番組と第２番組とを切り替える切替制御に従って、前記第１番組又は前記第２番組を保護するためのスクランブル鍵を格納した情報を送出すると共に、前記スクランブル鍵でスクランブル制御を行う送出部と、前記送出部からの前記スクランブル制御に従って、前記情報が多重化されたコンテンツに対して前記スクランブル鍵を用いてスクランブル処理を行うスクランブラ部とを具備する。
【０００９】
本実施形態に係るスクランブル放送送出方法は、スクランブル放送送出装置に用いられる方法であって、第１番組と第２番組とを切り替える切替制御に従って、前記第１番組又は前記第２番組を保護するためのスクランブル鍵を格納した情報を送出すると共に、前記スクランブル鍵でスクランブル制御を行い、前記スクランブル制御に従って、前記情報が多重化されたコンテンツに対して前記スクランブル鍵を用いてスクランブル処理を行うことを有するものである。
【図面の簡単な説明】
【００１０】
【図１】本実施形態に係るスクランブル放送送出装置を示す構成図である。
【図２】スクランブル制御の切替手順を示すフローチャート。
【図３】スクランブル制御の切替タイミングを示す図。
【図４】本実施形態の運用例を示す図。
【発明を実施するための形態】
【００１１】
以下、図面を参照しながら本実施形態に係るスクランブル放送送出装置を説明する。
【００１２】
図１は、本実施形態に係るスクランブル放送送出装置を示す構成図である。スクランブル放送送出装置１０は、ＥＣＭ（Entitlement Control Message）送出装置１１、及びスクランブラ１３を備える。
【００１３】
ＥＣＭ送出装置１１は、上位装置であるＥＣＭ制御装置（図示せず）から与えられる番組切替制御（有料／無料）に従って、有料放送の期間でスクランブル鍵とＥＣＭパケット（有料放送用）を送出する。この有料放送のデータは、ＥＣＭ制御装置から例えば５秒前に受信する。著作権保護のデータ（スクランブル鍵とＥＣＭパケット）は、ＥＣＭ送出装置１１の内部に保持される。ＥＣＭ送出装置１１で行うスクランブル制御内容は、ＥＣＭ制御装置１１から例えば５秒前に指示される。
【００１４】
ＥＣＭ送出装置１１は、スクランブル鍵を格納したＥＣＭパケットの送出、及びスクランブル鍵でスクランブラ１３の制御を行う。多重化装置１２は、コンテンツＴＳ（Transport Stream）にＥＣＭ送出装置１１から送出されるＥＣＭパケット（有料放送用／著作権保護用）を多重化する。スクランブラ１３は、ＥＣＭ送出装置１１からのスクランブル制御に従って、多重化装置１２においてＥＣＭパケットが多重化されたＴＳに対してスクランブル鍵を用いてスクランブル処理（データ攪乱処理）を行う。スクランブラ１３は、ＥＳ（Elementary Stream）ごとにスクランブル鍵を割り当てることができる。
【００１５】
次に、スクランブル制御の切替手順について説明する。
【００１６】
ＥＣＭ送出装置１１は、ＥＣＭ制御装置から、以下の（１）〜（３）のスクランブル指示を受ける。
【００１７】
（１）スクランブルＯＮ（有料放送）  
（２）スクランブルＯＮ（著作権保護）  
（３）スクランブルＯＦＦ  
ＥＣＭ送出装置１１が有料放送のスクランブル処理のみを行っている場合に、スクランブラＯＮ（著作権保護）の指示を受けた場合は、以下の処理を行う。図２は、この場合のスクランブル制御の切替手順を示すフローチャートである。
【００１８】
図２のステップＳ１において、ＥＣＭ送出装置１１は、有料放送のスクランブル処理のみを行っている場合に、無料スクランブルの指示を受信する。
【００１９】
ステップＳ２において、ＥＣＭ送出装置１１は、無料スクランブル期間中は、内部に保持された著作権保護データを取り出して、ＥＣＭパケット送出とスクランブラ１３に対してスクランブラ制御（著作権保護スクランブルを指示）を行う。スクランブラ１３への制御は、ＥＳごとにスクランブル鍵を設定する。ＥＳごとの設定のため、１ＴＳ内で有料放送と著作権保護の同時運用が可能となる。
【００２０】
ステップＳ３において、スクランブラ１３は、有料放送と著作権保護のスクランブル処理を実施する。スクランブラ１３は、受信したスクランブル制御情報を内部メモリに保存し、そのデータをもとにスクランブル処理を継続して行う。複数のスクランブル鍵Ｋｓを同時処理することも可能である。
【００２１】
なお、ＥＣＭ送出装置１１は、図３（ａ）に示すように、スクランブルＯＮ（有料放送）からスクランブルＯＮ（著作権保護）に遷移する場合は、スクランブルＯＦＦ期間を設ける。逆の遷移も同様にするものとする。これは、ＥＣＭパケット内のスクランブル鍵Ｋｓの整合が取れなくなることを避けるためであり、スクランブルＯＦＦ期間を設けることで、図３（ｂ）に示すように、ＥＣＭパケット内のスクランブル鍵Ｋｓの整合を確実に保つことができる。
【００２２】
図４に、本実施形態の運用例を示す。運用例１は、１ＴＳ内での有料放送サービスと著作権保護サービスの同時運用例である。運用例２は、１サービス内での有料放送と著作権保護との切替運用例を示したものである。
【００２３】
以上述べたように、本実施形態によれば、有料放送スクランブルを実現する装置の設備構成を用いて、簡易な構成で著作権保護のスクランブルを実現できる。また、１ＴＳ内において、時間で異なるスクランブル（有料放送／著作権保護）を切り替えて運用することや、１サービス内で有料放送のサービスと著作権保護のサービスを同時に運用することができるようになる。
【００２４】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
１０…スクランブル放送送出装置、１１…ＥＣＭ送出装置、１２…多重化装置、１３…スクランブラ。
【図１】
2012165342.tif 000003
【図２】
2012165342.tif 000004
【図３】
2012165342.tif 000005
【図４】
2012165342.tif 000006